(57)【要約】【課題】  所定の洗浄水量を貯水タンクから便器に確実に供給することができる洗浄水タンク装置を提供すること。【解決手段】  水洗便器を洗浄する洗浄水を貯水する洗浄水タンク装置であって、底面に排水口が形成された貯水タンクと、水洗便器への洗浄水の供給を行う排水弁と、側面上部に開口部が形成された筒体と、開口部を開閉する切替弁と、筒体の内方に配置された制御筒と、制御筒内に配置され、下降することで前記排水口を排水弁で閉止するフロートと、制御筒に設けられ排水弁の下降動作を制御する下降動作制御手段と、を有し、切替弁が開口部を開いて洗浄水を開口部から排水口を経て水洗便器に所定の洗浄水量を供給したとき、排水弁が排水口を閉止し、これにより、排水弁が排水口を閉止した直後の筒体の外方の水位が、開口部の上端から下端の間に位置するような構成としたことを特徴とする洗浄水タンク装置。【選択図】  図２
2015101927.tif 000002
【特許請求の範囲】
【請求項１】
水洗便器を洗浄する洗浄水を貯水する洗浄水タンク装置であって、
洗浄水が貯水され、底面に排水口が形成された貯水タンクと、
前記排水口を開閉して前記水洗便器への洗浄水の供給を行う排水弁と、
前記排水口を取り囲むように前記貯水タンクの底面から鉛直方向上方に延びる側面を有し、上方が開放されると共に前記側面上部に開口部が形成された筒体と、
前記開口部を開閉する切替弁と、
前記筒体の内方に配置された制御筒と、
前記制御筒内に配置され、下降することで前記排水弁に前記排水口を閉止させるフロートと、
前記制御筒に設けられ前記フロートの下降動作を制御する下降動作制御手段と、を有し、
前記切替弁が前記開口部を開いて洗浄水を前記開口部から前記排水口を経て前記水洗便器に所定の洗浄水量を供給したとき、前記排水弁が前記排水口を閉止し、これにより、前記排水弁が前記排水口を閉止した直後の前記筒体の外方の水位が、前記開口部の上端から下端の間に位置するような構成としたことを特徴とする洗浄水タンク装置。
【請求項２】
前記開口部は、前記筒体の鉛直方向の中間位置よりも上側に位置することを特徴とする請求項１に記載の洗浄水タンク装置。
【請求項３】
請求項１又は請求項２に記載の洗浄水タンク装置を備え、洗浄水の落差による流水作用で汚物を押し流すことにより便器洗浄を行う洗落とし式の水洗便器。
【発明の詳細な説明】
【技術分野】
【０００１】
本発明は、水洗便器を洗浄する洗浄水を貯水する洗浄水タンク装置に関する。
【背景技術】
【０００２】
特許文献１には、便器を洗浄する洗浄水を貯水し、貯水タンクの底部に形成された排水口と、その排水口を開閉して洗浄水の供給を行う排水弁とを有する洗浄水タンク装置の開示がある。この洗浄水タンク装置は、貯水タンクの底部の排水口を囲むように設けられた筒体を有し、その筒体の側面上方に開口部が形成されている。その側面に開口部を開閉可能な弁体を設け、大洗浄のときには、弁体を開き筒体の開口部を開放したままにすることにより洗浄水を多量に供給する。一方、小洗浄のときには、弁体を閉じ筒体の開口部を閉じたままにすることにより洗浄水量の供給を少なくする。また、小洗浄より水量を少なくする場合は、筒体の弁体を完全に閉じ、外側の弁体を時間差で開放することで小洗浄よりも低い水量にて洗浄できることができる。この弁体の開閉により、大洗浄と小洗浄と小洗浄よりもさらに少ない洗浄水量の３段階の洗浄を切り替える。このように構成された排水装置を備える洗浄水タンク装置が知られている。この洗浄水タンク装置は、排水が終了するまでの水の勢いを保つため、死水水位（排水弁が閉止した直後のタンク内の水位）を開口部より鉛直方向上方に位置させている。
【先行技術文献】
【特許文献】
【０００３】
【特許文献１】特開２０１１−２４１５５４号公報
【発明の概要】
【発明が解決しようとする課題】
【０００４】
しかしながら、このような洗浄水タンク装置は、排水が終了するまで水の勢いが強いために、排水弁が排水口に引き込まれてしまい、排水弁が狙いのタイミングより早く閉まり、水洗便器洗浄の為の、所定の洗浄水量が供給できないといった問題が生じていた。更に、近年は環境負荷の考えから洗浄水の節水が要望されており、少ない洗浄水によって水洗便器を洗浄しなければならない。節水と便器洗浄を両立させるために、ヘッド圧を確保するために、便器洗浄開始時の水位を十分高い位置にすることと、必要最低限の洗浄水量を正確に水洗便器に供給することは極めて重要である。
【０００５】
また、排水弁が引き込まれる力は、貯水タンクから便器に供給される洗浄水の流速に基づいて変化しており、流速は便器の排水路の形状によって異なり、排水路の形状は便器の種類によって異なる。すなわち、排水弁が引き込まれる力は、便器の種類によって異なる。そのため、異なる種類の便器に同一の洗浄水タンク装置を採用すると、便器の種類毎に洗浄水量にバラつきが起こり、供給される洗浄水量が所定の洗浄水量より不足して洗浄不良が発生したり、供給される洗浄水量が所定の洗浄水量より過剰となり節水の要望に十分に対応できなかったりする場合があった。
【０００６】
本発明は前記事情にて鑑みて為されたものであり、その目的は、所定の洗浄水量を貯水タンクから便器に確実に供給することができる洗浄水タンク装置を提供することである。
【課題を解決するための手段】
【０００７】
本発明の態様の１つは、水洗便器を洗浄する洗浄水を貯水する洗浄水タンク装置であって、洗浄水が貯水され、底面に排水口が形成された貯水タンクと、前記排水口を開閉して前記水洗便器への洗浄水の供給を行う排水弁と、前記排水口を取り囲むように前記貯水タンクの底面から鉛直方向上方に延びる側面を有し、上方が開放されると共に前記側面上部に開口部が形成された筒体と、前記開口部を開閉する切替弁と、前記筒体の内方に配置された制御筒と、前記制御筒内に配置され、下降することで前記排水弁に前記排水口を閉止させるフロートと、前記制御筒に設けられ前記フロートの下降動作を制御する下降動作制御手段と、を有し、前記切替弁が前記開口部を開いて洗浄水を前記開口部から前記排水口を経て前記水洗便器に所定の洗浄水量を供給したとき、前記排水弁が前記排水口を閉止し、これにより、前記排水弁が前記排水口を閉止した直後の前記筒体の外方の水位が、前記開口部の上端から下端の間に位置するような構成としたことを特徴とする洗浄水タンク装置である。
【０００８】
このように構成された発明においては、排水弁で排水口を閉止した直後の筒体の外方の水位が、開口部の上端から下端の間に位置しているので、開口部全体から洗浄水が流入するより洗浄水の流量は少なくなる。つまり、貯水タンク内の水位が筒体の上縁付近まで低下した時よりも排水終了時のほうが開口部から前記筒体に流入する開口部に対しての水の断面積を徐々に少なくなっているため、水の勢いが弱まる。従って、排水が終了する直前は、水の勢いが弱まり、排水弁を引き込む力が弱くなり、狙いのタイミングで排水弁が閉止されるので、洗浄水を所定の量だけバラつきなく便器に供給できる。
【０００９】
本発明の選択的な態様において、前記開口部は、前記筒体の鉛直方向の中間位置よりも上側に位置することを特徴とする洗浄水タンク装置である。
【００１０】
このように構成された本発明においては、開口部を筒体の中間位置よりも上側に位置させることにより、開口部の途中を狙いの排水弁閉止水位とすることができ、狙いの排水弁閉止水位に近づくにつれて開口部から前記筒体に流入する開口部に対しての水の断面積を徐々に少なくすることができ、水の勢いが弱まる。従って、排水弁を引き込む力が弱くなり、狙いのタイミングで排水弁が閉止されるので、洗浄水を所定の量だけ便器に供給できる。
【００１１】
本発明の選択的な態様において、洗浄水の落差による流水作用で汚物を押し流すことにより便器洗浄を行う洗落し式の水洗便器は、上述した洗浄水タンク装置を備えることを特徴としている。
【００１２】
このように構成された本発明においては、洗浄水タンク装置を、洗浄水の落差による流水作用で汚物を押し流すことにより便器洗浄を行う洗落とし式の水洗便器に用いることによって、所定の洗浄水量を用いて長時間の洗浄を要することが要求される洗い落とし式の水洗便器に特に有利な効果をもたらすことができる。
【発明の効果】
【００１３】
本発明の洗浄水タンク装置によれば、所定の洗浄水量を貯水タンクから便器に確実に供給することができる。
【図面の簡単な説明】
【００１４】
【図１】本発明の実施形態による洗浄水タンク装置の概略構造を示す正面断面図。
【図２】本発明の実施形態による洗浄水タンク装置の概略構造を示す正面断面図。
【図３】本発明の実施形態による洗浄水タンク装置の排水装置の分解斜視図。
【図４】本発明の実施形態による洗浄水タンク装置の排水装置の制御筒の斜視図。
【図５】本発明の実施形態による洗浄水タンク装置の排水装置の断面図。
【図６】本発明の実施形態による洗浄水タンク装置の排水装置の大洗浄モードにおける排水開始直後の状態を示す概略断面図。
【図７】本発明の実施形態による洗浄水タンク装置の排水装置の大洗浄モードにおける排水途中の状態を示す概略断面図。
【図８】本発明の実施形態による洗浄水タンク装置の排水装置の大洗浄モードにおける排水終了後の状態を示す概略断面図。
【発明を実施するための形態】
【００１５】
次に、添付図面により、本発明の実施形態による洗浄水タンク装置を説明する。先ず、図１により、本発明の実施形態による洗浄水タンク装置が適用された水洗便器を説明する。
【００１６】
図１に示すように、符号１は、洗浄水の落差による流水作用で汚物を押し流すことにより便器洗浄を行う洗落し式水洗便器を示し、この洗落し式水洗便器１は、便器本体２を備え、この便器本体２にはボウル部４と、導水路６と、ボウル部４の下部と連通する排水トラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部４を洗浄するようになっている。
【００１７】
ボウル部４の内底部には、略一定水位の水が貯留される溜水部１４が形成されている。図１には、溜水部１４の貯留水の水面である貯留面Ｗ0を一点鎖線で示してある。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１８】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００１９】
次に、図２により、洗浄水タンク装置１８の概略構成について説明する。なお、本実施形態の洗浄水タンク装置１８は、上述した洗落し式以外の他のタイプの水洗便器（例えば、サイホン式水洗便器など）にも適用可能である。
【００２０】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００２１】
貯水タンク２２には、それを取り囲むように断熱体２６が設けられ、この断熱体２６を介して、所定の係合部材２８により、貯水タンク２２が外装タンク２０に取り付けられる。また、貯水タンク２２の底面には、上述した便器本体２の導水路６に連通する排水口２２ａが形成されている。この排水口２２ａの側面に延びる排水口部材２２ｂは所定の係合部材３０で外装タンク２０に固定されており、排水口部材２２ｂを介することによっても、貯水タンク２２が外装タンク２０に取り付けられる。
【００２２】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入する。この蓋体２４の下方には、吐水口２４ｂから流入する水を、後述する排水装置７０の制御筒７８の外方に導く導水部材２５が設けられている。
【００２３】
次に、洗浄水タンク装置１８は、洗浄水給水装置３４を備えている。この洗浄水給水装置３４は、従来のものと同様のものであり、外部の水道管などの給水源（図示せず）に接続される給水管３６、給水装置用フロート３８、給水管３６と連通し、貯水タンク２２に洗浄水を吐水する吐水管４０、給水装置用フロート３８にレバー４２を介して連結される給水バルブ４４などを備えている。
【００２４】
本実施形態では、この洗浄水給水装置３４により、排水開始時、給水を開始するようにしている。本実施形態では、貯水タンク２２の満水時の止水水位は、図２に示す位置（ＷＬ）で一定になるようにしている。
【００２５】
また、この洗浄水給水装置３４は、手洗いカラン３２に水を供給する手洗い給水管３１を備え、便器への洗浄水の供給開始時（排水開始時）、上述した蓋体２４の手洗いカラン３２に水の供給を開始するようにしている。
【００２６】
次に、洗浄水タンク装置１８は、操作装置４６及びこの操作装置４６の操作により作動される排水装置７０を備えている。
【００２７】
まず、操作装置４６について説明する。操作装置４６は、操作レバー４８と、モータ５０と、このモータ５０に接続される操作ボタン５２と、を備える。操作ボタン５２は、後述する大洗浄用、小洗浄用の２つの操作ボタンを備えている。
【００２８】
操作レバー４８は、一方（本実施形態では、手前側）に（９０度）回動させると、後述する大洗浄が開始され、他方（本実施形態では、奥側）に（９０度）回動させると、大洗浄よりも洗浄水量が少ない小洗浄が開始されるように、排水装置７０を作動させる手動式の操作レバー４８である。また、モータ５０は、大洗浄のボタンが押されると、操作レバー４８と同一の一方（手前側）の方向に回転し、小洗浄のボタンが押されると、操作レバー４８と同一の他方（奥側）の方向に回転して、それぞれ、大洗浄或いは小洗浄が開始されるように排水装置７０を作動させるようになっている。このように、本実施形態では、使用者は、大洗浄及び小洗浄を行うためには、操作レバー４８を操作しても良いし、操作ボタン５２を押しても良い。
【００２９】
これらの操作レバー４８及びモータ５０には、ワイヤ部材やユニバーサルジョイントなどにより構成される軸状の回転伝達部材５４の一端側が連結されている。この回転伝達部材５４の他端側には、その回転に伴って、回転伝達部材５４を中心に揺動する第１の引き上げ部材５６及び第２の引き上げ部材５８が取り付けられている。これらの第１の引き上げ部材５６及び第２の引き上げ部材５８の先端部には、それぞれ、第１玉鎖６０の上端部分及び第２玉鎖６２の上端部分が取り付けられている。
【００３０】
これらの第１の引き上げ部材５６及び第２の引き上げ部材５８は、回転伝達部材５４を一方側（大洗浄時）に回転させると、第１の引き上げ部材５６のみが、その一方側に揺動して第１玉鎖６０のみを引き上げ、一方、回転伝達部材５４を他方側（小洗浄時）に回転させると、第１の引き上げ部材５６及び第２の引き上げ部材５８の両方が、その他方側に揺動して第１玉鎖６０及び第２玉鎖６２の両方を引き上げるような機械的な機構とされている。
【００３１】
次に、図２乃至図５により、排水装置７０について説明する。先ず、図３に示すように、本実施形態による洗浄水タンク装置１８の排水装置７０は、弁体７２と、オーバーフロー管７４と、筒体７６と、制御筒７８と、フロート８０と、オーバーフロー管７４に固定される固定部材８２と、筒体７６に形成された後述する開口部７６ｃを開閉する切替弁８４（９０、９２）と、を有する。
【００３２】
先ず、図２乃至図５により、排水装置７０が備える排水弁機構を説明する。先ず、弁体７２は、図２及び図５に示すように、オーバーフロー管７４の下端部に形成された断面コ字状の弁体保持部７４ａにはめ込まれることで鍔状をなし、オーバーフロー管７４と共に上下動して、排水口２２ａを開閉して水洗便器１への洗浄水の供給を行う排水弁として機能する。また、オーバーフロー管７４の側面には、その上下方向の中間部に、固定部材８２を保持するための凹部７４ｂが一周にわたって延びるように形成されている。
【００３３】
次に、図４及び図５に示すように、制御筒７８には、ほぼ円筒状の外側壁７８ａと、オーバーフロー管７４の上下動をガイドする役割を有する円筒状の内側壁７８ｂと、が形成されている。また、図５に示すように、制御筒７８には、これらの側壁７８ａ、７８ｂと共に洗浄水を貯水可能にする中間水平壁７８ｃが形成され、これらの側壁７８ａ、７８ｂ及び中間水平壁７８ｃにより貯水筒（貯水部）７８ｄが構成される。
【００３４】
また、貯水筒７８ｄの外側壁７８ａには、貯水筒７８ｄ内に貯水された洗浄水を所定の流量で流出させるための下降動作制御手段である２つの小穴７８ｅ、７８ｆが形成されている。そして、一方の小穴７８ｅは、スライド部材（切替部材）８６のスライドにより開閉可能となっており、貯水筒７８ｄ内から流出させる洗浄水の流量を調節することが出来るようになっている。２つの小穴７８ｅ、７８によって貯水筒７８ｄ内から流出させる洗浄水の流量が調節されることにより、排水弁の下降動作が制御される。
【００３５】
また、制御筒７８の外側壁７８ａには、上述した貯水筒７８ｄより下方部分に、排水時に、制御筒７８の外方側の洗浄水を排水口２２ａに流入させるための流入口７８ｇが形成されている。
【００３６】
次に、図５に示すように、上述した貯水筒７８ｄの内方にフロート８０が配置されている。フロート８０は、貯水筒７８ｄ内の洗浄水によって得た浮力を固定部材８２を介してオーバーフロー管７４に作用させる筒状の外形を有する部材である。このフロート８０の上方には、所定の機能を有する固定部材８２が、上述したオーバーフロー管７４の凹部７４ｂ内に側方からはめ込まれ、これにより、オーバーフロー管７４に対して水平方向に回転できるように、かつオーバーフロー管７４に対して上下方向には移動出来ないようにオーバーフロー管７４に取り付けられえている。
【００３７】
固定部材８２には、上述した第１の引き上げ部材５６に取り付けられた第１玉鎖６０の下端部分が取り付けられており、固定部材８２は、排水時に、オーバーフロー管７４を引き上げるために使用される。使用者が操作レバー４８を回転させ、或いは、洗浄のボタンが押されモータ５０が作動されると、第１玉鎖６０が引き上げられるが、その際に、オーバーフロー管７４の弁体７２は貯水タンク２２内に貯水されている洗浄水のヘッド圧により鉛直下方向に抑えられているため、先ず、固定部材８２がオーバーフロー管７４に対して水平方向に回転し、その後、オーバーフロー管７４が鉛直上方に移動することになる。このような構成により、オーバーフロー管７４が回転しながら鉛直方向上方に移動することを防ぐことができ、排水装置７０の開弁動作を安定させることができる。
【００３８】
次に、固定部材８２は、満水時には、フロート８０の上昇を抑えるストッパとしての機能を有し、排水時には、後述するように、オーバーフロー管７４及び弁体７２が、フロート８０の下降と連動して下降するよう、オーバーフロー管７４とフロート８０とを接続する機能を有する。固定部材８２は、これらの機能を有するように、フロート８０の上面に十分に当接するような形状及び大きさに形成されている。ここで、フロート８０の浮力は、満水時、弁体７２にかかる水圧によりオーバーフロー管７４及び弁体７２を上昇させないような浮力に設定され、排水時には、オーバーフロー管７４及び弁体７２にかかる下方向きの力よりやや大きい浮力に設定されている。なお、フロート８０とオーバーフロー管７４とを互いに固定して、常時接続するようにしても良い。
【００３９】
次に、図２乃至図５により、筒体７６及び切替弁８４などにより構成される流量調節機構について説明する。先ず、図３及び図５に示すように、筒体７６は、その横断面形状がほぼ矩形状に形成され、４辺の上縁部７６ａを有し、上方が開放されている。筒体７６は、貯水タンク２２の底面上に立設された状態で設けられる。貯水タンク２２の底面上に設けられた筒体７６の側面は、排水口２２ａを取り囲むように貯水タンク２２の底面から鉛直方向上方に延びる態様となる。また、筒体７６は、矩形状に形成された筒体７６の４つの側面のうち、１つの側面７６ｂにのみ、開口部７６ｃが１つだけ形成されている。開口部７６ｃは、矩形状に形成されている。開口部７６ｃの下端部７６ｅは、鉛直方向において筒体７６の側面７６ｂの中間位置より上部に位置しており、一方、開口部７６ｃの上端部７６ｄは、筒体７６の上縁部７６ａより下部に位置している。このように、開口部７６ｃを筒体７６の側面７６ｂの上部、つまり筒体７６の鉛直方向の中間位置よりも上側の位置に設けることで、開口部７６ｃを筒体７６の側面７６ｂの下部に設けた場合に比べて、開口部７６ｃへ流入する洗浄水をヘッド圧が低いものとすることが出来、これにより、開口部７６ｃから筒体７６内に流れ込んで排水口２２ａから流出する水の勢いが弱まり、弁体７２を引き込む力が弱くなり、狙いのタイミングで弁体７２が閉止される。
【００４０】
そして、この開口部７６ｃを開閉可能な切替弁８４として、図３及び図５に示すように、第１切替弁９０及びその外方側に設けられる第２切替弁９２が設けられている。第１切替弁９０及び第２切替弁９２は、開口部７６ｃを開口面積的に段階的に開閉する２重の弁である。第１切替弁９０および第２切替弁９２は、排水口２２ａからの洗浄水の排出時に筒体７６の外側から筒体７６内へと流入する洗浄水の量を調節するための流量調節機構を構成する。第１切替弁９０および第２切替弁９２は、いずれも略矩形状の開口部７６ｃに対応した略矩形板状の部材であり、筒体７６の外側から開口部７６ｃを閉じるように、回動可能に支持された状態で設けられる。第１切替弁９０および第２切替弁９２は、開口部７６ｃに対して第１切替弁９０を内側、第２切替弁９２を外側に位置させ、互いに重なるような態様で設けられる。
【００４１】
図３に示すように、筒体７６は、開口部７６ｃの下方且つ側方の両側に軸７６ｆを備え、第１切替弁９０は、それらの軸７６ｆにより回動自在に嵌められる受部９０ａを備え、第２切替弁９２には、その受部９０ａに回動自在に嵌められる孔部９２ａが形成されている。そして、図３に示すように、筒体７６に第１切替弁９０及び第２切替弁９２が取り付けられると、それらの軸７６ｆ、受部９０ａ、孔部９２ａにより、軸体が構成される。つまり、第１切替弁９０及び第２切替弁９２は、共通の軸体により所定の回動範囲で回動可能に支持されている。
【００４２】
従って、第１切替弁９０は、この軸体を枢軸として、軸体を中心に、下方位置から開口部７６ｃを閉じる位置まで回動可能になり、第２切替弁９２は、下方位置から開口部７６ｃを閉じた第１切替弁９０と略平行に隣接する位置まで回動可能になっている。
【００４３】
次に、図３及び図５に示すように、第１切替弁９０には、第１切替弁９０が開口部７６ｃを閉じたとき、筒体７６の外方と内方とを連通させる連通口９０ｂが形成されている。この連通口９０ｂの開口断面積は、開口部７６ｃの開口断面積よりも小さく、連通口９０ｂの開口断面積の大きさは、開口部７６ｃを全開にしたときより、洗浄水の流量が所定量少なくなるような大きさに形成されている。このように、第１切替弁９０は、筒体７６の開口部７６ｃの開口断面積を調節（減少）することが出来るようになっている。
【００４４】
次に、第１切替弁７１の外側に設けられる第２切替弁７２は、閉弁状態となること、つまり開口部７６ｃを閉じた状態となることで、第１切替弁９０により減少した開口部７６ｃの開口面積をさらに減少させる。このため、第２切替弁９２には、第１切替弁９０側に向けて延びる突出部９２ｂが形成されている。第２切替弁９２は、突出部９２ｂを、閉弁状態の第１切替弁９０の連通口９０ｂに挿入することで、連通口９０ｂによる開口部７６ｃの開通面積をさらに減少させる。この突出部９２ｂは、第２切替弁９２が第１切替弁９０に近接され或いは隣接されたとき、第１切替弁９０の連通口９０ｂに挿入可能な位置及び角度に形成されている。
【００４５】
また、この第２切替弁９２には、上述した軸体の反対側の先端位置に、上述した第２の引き上げ部材５８に取り付けられた第２玉鎖６２の下端部分が取り付けられている。また、第１切替弁９０には、錘９６が取り付けられ、第２切替弁９２には、錘９８が取り付けられている。これらの錘９６、９８は、各切替弁９０、９２の動作を安定させるためのものである。
【００４６】
図２及び図５に示すように、筒体７６の内方に制御筒７８が取り付けられ、図２に示すように、筒体７６及び制御筒７８は、排水口２２ａを取り囲むように貯水タンク２２の底部に立設した状態で取り付けられ、これにより、オーバーフロー管７４が制御筒７８の内側壁７８ｂ内を挿通した状態で上下動可能に構成され、弁体７２が排水口２２ａを開閉するようにされている。
【００４７】
このとき、図２及び図５に示すように、制御筒７８及び筒体７６は、それぞれ、制御筒７８の貯水筒（貯水部）７８ｄの外側壁７８ａに形成された小穴７８ｅ、７８ｆが筒体７６に形成された開口部７６ｃの反対側に位置するように、配設されている。
【００４８】
次に、本発明の実施形態によるタンク装置の動作を説明する。先ず、図６乃至図８により、本発明の実施形態による洗浄水タンク装置１８により実行される大洗浄モードを説明する。
【００４９】
なお、この説明は、上述した貯水筒７８ｄに形成した小穴７８ｅ、７８ｆが２つとも開かれている状態（スライド部材８６で小穴７８ｅを閉じない状態）での例である。
【００５０】
先ず、図６に示すように、大洗浄モードの開始時、使用者が操作レバー４８を手前側に９０度回転させ、或いは、大洗浄のボタンが押されモータ５０が作動（駆動）されると、第１の引き上げ部材５６のみが回転され、第１玉鎖６０を介してオーバーフロー管７４及び弁体７２が、図６に示すような所定の高さ位置まで引き上げられ、これにより、排水口２２ａが開いて、排水が開始される。ここで、固定部材８２によって浮力による上昇が規制されていたフロート８０が、オーバーフロー管７４と一体的に固定部材８２が上昇することにともなって上昇する。
【００５１】
このような引き上げの完了の直後に操作レバー４８は初期位置に戻されて、第１の引き上げ部材５６が初期の回転角度に戻され、或いは、モータ５０の作動により引き上げが行われたときは、引き上げの完了の直後に第１の引き上げ部材５６が初期の回転角度に戻るようにモータ５０が作動される。なお、このとき、第２の引き上げ部材５８は回転されないので、筒体７６の開口部７６ｃを開閉する各切替弁９０、９２は、図６に示すように、開口部７６ｃから離間した位置のままである。従って、筒体７６の開口部７６ｃは全開であり、その開口断面積も変わらない。
【００５２】
次に、図７に示すように、排水開始後、貯水タンク２２内の洗浄水の全体の水位（ＷＬ）が時間の経過と共に低下し、水位が筒体７６の上縁部７６ａ付近まで低下した時点で、筒体７６内の洗浄水が急激に排水口２２ａから排出されるようになる。
【００５３】
また、これに伴い、貯水筒７８ｄ内の洗浄水の水位は、小穴７８ｅ、７８ｆから流出する流量に応じて所定の速度で低下し始める。従って、そのような貯水筒７８ｄ内の水位の低下に伴ってフロート８０も下降し、そのフロート８０の下降に連動してオーバーフロー管７４及び弁体７２も、フロート８０の下降速度と同じ速度で下降する。そして、所定時間経過後、貯水筒７８ｄ内の洗浄水の水位がフロート８０に浮力を与えない水位まで低下したとき、弁体７２が排水口２２ａを閉じ（閉弁）、排水が終了する。このように、フロート８０は、下降することで排水弁に排水口２２ａを閉止させる。
【００５４】
次に、図８に示す水位（ＷＬ１）は、閉弁直後の筒体７６外の水位であり、水位（ＤＷＬ）は、そのような閉弁後に、筒体７６外の洗浄水が、開口部７６ｃを介して筒体７６内に流入し、最終的に得られる、死水水位である。このように、閉弁直後の筒体７６外の水位（ＷＬ１）が、開口部７６ｃの上端部７６ｄから下端部７６ｅの間に位置するようにすることで、貯水タンク２２内の水位が筒体７６の上縁付近まで低下した時よりも排水終了時のほうが、水の勢いが弱まる。つまり、筒体７６外の水位が開口部７６ｃの上端部７６ｄより上方に位置する時は、開口部７６ｃの全体から洗浄水が筒体７６に流入する。一方、筒体７６外の水位が上端部７６ｄと下端部７６ｅの間に位置する時は、開口部７６ｃのうち、筒体７６ｃ外の水位と開口部７６ｃの間の部分のみから洗浄水が筒体７６に流入する。そして、筒体７６ｃ外の水位が低くなることにより、開口部７６ｃから流出する洗浄水の流量が徐々に少なくなる。即ち、排水開始時よりも排水終了時のほうが、水の勢いが弱まり、弁体７２を引き込む力が弱くなり、狙いのタイミングで弁体７２が閉止されるので、洗浄水を所定の量だけバラつきなく便器に供給できる。
【００５５】
以上のように、本実施形態の洗浄水タンク装置１８は、第１切替弁９０及び第２切替弁９２が開口部７６ｃを開いて洗浄水を開口部７６ｃから排水口２２ｃを経て水洗便器１に所定の洗浄水量を供給したとき、排水弁が排水口２２ｃを閉止し、これにより、排水弁が排水口２２ｃを閉止した直後の筒体７６の外方の水位が、開口部７６ｃの上端から下端の間に位置するような構成を備える。なお、上述の、大洗浄モードの例は、上述した貯水筒７８ｄに形成した小穴７８ｅ、７８ｆが２つとも開いた状態（スライド部材８６で小穴７８ｅを閉じない状態）で説明したが、小穴７８ｅ、７８ｆのうち、一方の小穴７８ｅをスライド部材８６で閉じれば、その貯水筒７８ｄ内の洗浄水の水位の低下速度を遅くさせて、閉弁タイミングを遅くすることにより、洗浄水量を増量させることが出来る。
【００５６】
また、本発明に係る水洗便器１は、前記洗浄水タンク装置１８を備えたこと特徴としている。このように構成された本発明においては、節水化を達成した洗落とし式水洗便器１に対して、便器洗浄に必要な最低限の所定の洗浄水量を便器本体２に正確に供給することができる。
【００５７】
以上本発明の実施形態を詳述したがこれはあくまで一例示であり、本発明はその趣旨を逸脱しない範囲において種々変更を加えた形態で構成可能である。
【符号の説明】
【００５８】
１      洗落とし式水洗便器
２      便器本体
４      ボウル部
６      導水路
８      排水トラップ管路
８ａ    入口
８ｂ    上昇路
８ｃ    下降路
１０    リム
１２    第１吐水口
１４    溜水部
１６    第２吐水口
１８    洗浄水タンク装置
２０    外装タンク
２２    貯水タンク
２２ａ  排水口
２２ｂ  排水口部材
２４    蓋体
２４ａ  鉢
２４ｂ  吐水口（流入口）
２５    導水部材
２６    断熱体
２８    係合部材
３０    係合部材
３１    給水管
３２    カラン
３４    洗浄水給水装置
３６    給水管
３８    給水装置用フロート
４０    吐水管
４２    レバー
４４    給水バルブ
４６    操作装置
４８    操作レバー
５０    モータ
５２    操作ボタン
５４    回転伝達部材
５６    第１の引き上げ部材
５８    第２の引き上げ部材
６０    第１玉鎖
６２    第２玉鎖
７０    排水装置
７２    弁体
７４    オーバーフロー管
７４ａ  弁体保持部
７４ｂ  固定部材保持用凹部
７６    筒体
７６ａ  筒体の上縁部
７６ｂ  筒体の一側部
７６ｃ  開口部
７６ｄ  上端部
７６ｅ  下端部
７６ｆ  軸
７８    制御筒
７８ａ  外側壁
７８ｂ  内側壁
７８ｃ  中間水平壁
７８ｄ  貯水筒
７８ｅ、７８ｆ  小穴
７８ｇ  流入口
７８    流入口
８０    フロート
８２    固定部材
８４    切替弁
８６    スライド部材
９０    第１切替弁
９０ａ  受部
９０ｂ  連通口
９２    第２切替弁
９２ａ  孔部
９２ｂ  突出部
９６    錘
９８    錘
Ｗ      貯留面
【図５】
2015101927.tif 000003
【図６】
2015101927.tif 000004
【図７】
2015101927.tif 000005
【図８】
2015101927.tif 000006
【図１】
2015101927.tif 000007
【図２】
2015101927.tif 000008
【図３】
2015101927.tif 000009
【図４】
2015101927.tif 000010